(57)【要約】【課題】本発明は、容易に着脱できる電子装置を提供することを目的とする。【解決手段】電子装置は、本体、キーボード及び本体とキーボードとの間に接続された回転部材を備える。本体内には、少なくとも１つの電磁石モジュール及びセンサーを備え、回転部材は、本体にロックされた支持部材及び電磁石モジュールと対応する磁石モジュールを備え、キーボードには、センサーと対応する磁石が設置され、本体とキーボードとの間の夾角が予め設定された臨界角度より大きい場合、電磁石モジュールは通電せず、磁石モジュールが電磁石モジュールと離れており、本体とキーボードとの間の夾角が予め設定された臨界角度以下である場合、センサーは、磁石の磁場が予め設定された磁場強度値より大きいことを感知して、電磁石モジュールは通電され、且つ磁石モジュールをくっつけ、ロック部材は、本体とのロックが解除され、キーボードは本体から取り外せる。【選択図】図１
2014235744.tif 000002
【特許請求の範囲】
【請求項１】
本体と、キーボードと、前記本体と前記キーボードとを回転可能に接続する回転部材と、を備える電子装置において、
前記本体内には、少なくとも１つの電磁石モジュール及びセンサーが設けられ、
前記回転部材は、ロック部材、前記本体にロックされた支持部材及び前記電磁石モジュールと対応する磁石モジュールを備え、
前記キーボードには、前記センサーと対応する磁石が設置され、
前記本体と前記キーボードとの間の夾角が予め設定された臨界角度より大きい場合、前記電磁石モジュールは通電せず、前記磁石モジュールが前記電磁石モジュールと離れており、
前記本体と前記キーボードとの間の夾角が予め設定された臨界角度以下である場合、前記センサーは、磁石の磁場が予め設定された磁場強度値より大きいことを感知して、前記電磁石モジュールは通電し、且つ磁石モジュールをくっつけ、前記ロック部材は前記本体のロック状態を解除し、前記キーボードを前記本体から取り外せることを特徴とする電子装置。
【請求項２】
前記本体には、少なくとも１つのロック溝が設けられ、
前記ロック部材は、少なくとも１つのロック部を備え、
前記ロック部材が前記本体のロック位置に移動した際、前記ロック部は、前記ロック溝内にロックされて、前記本体が前記キーボードから離脱することを防止し、
前記ロック部材が前記本体の離脱位置に移動した際、前記ロック部は、前記ロック溝から離脱して、前記本体を前記キーボードから取り外せることを特徴とする請求項１に記載の電子装置。
【請求項３】
前記ロック部材は、側板を備え、
前記ロック部は、前記側板と垂直に接続された接続片及び前記接続片と接続されたロック片を備え、
前記ロック部は、前記ロック溝内にロックされ、前記ロック片は、Ｌ字状を呈すことを特徴とする請求項２に記載の電子装置。
【請求項４】
前記回転部材は、支持部材を備え、前記ロック部材は、前記支持部材に設置されることを特徴とする請求項２に記載の電子装置。
【請求項５】
前記回転部材は、少なくとも１つの軸受を備え、
前記軸受は、前記キーボード内に設置された取り付け棒、前記取り付け棒に回転可能に設置された回転軸及び前記回転軸に設置された設置部を備え、
前記設置部は、前記支持部材に固定されることを特徴とする請求項４に記載の電子装置。
【請求項６】
前記回転部材は、第一カバー部及び第二カバー部を備え、
前記第一カバー部及び前記第二カバー部は、前記回転部材を収容するケースを形成し、
前記第二カバー部の両側には、少なくとも１つの円弧状の欠口が設けられ、前記取り付け部は、前記欠口内に設置されることを特徴とする請求項５に記載の電子装置。
【請求項７】
前記ロック部材には、前記ロック部材を押すためのハンドルを備え、
前記第二カバー部には、スライド溝が設けられ、
前記ハンドルは、前記スライド溝に挿し込まれ、且つ前記スライド溝内でスライドすることを特徴とする請求項６に記載の電子装置。
【請求項８】
前記第二カバー部には、少なくとも１つの開口が設けられ、
前記ロック部は、前記開口を貫通し、且つ前記ロック溝内に挿し込まれることを特徴とする請求項６に記載の電子装置。
【請求項９】
前記第一カバー部は、円弧状であり、前記第二カバー部とロックすることを特徴とする請求項６に記載の電子装置。
【発明の詳細な説明】
【技術分野】
【０００１】
本発明は、電子装置に関し、特に容易に着脱できる電子装置に関するものである。
【背景技術】
【０００２】
従来の電子装置（例えば、ノートパソコン等）は、本体及びキーボードを備える。本体には、ディスプレイが設置され、キーボードは本体と連接できるため、ユーザは電子装置にデータを入力しやすい。このキーボードは回転部材によって本体に回転可能に連接されているので、容易にディスプレイの角度を調節することができる。しかし、従来の電子装置の本体は、キーボードから取り外しにくいため不便である。
【発明の概要】
【発明が解決しようとする課題】
【０００３】
以上の問題点に鑑みて、本発明は、容易に着脱できる電子装置を提供することを目的とする。
【課題を解決するための手段】
【０００４】
上記の課題を解決するために、本発明の電子装置は、本体と、キーボードと、前記本体と前記キーボードとを回転可能に接続する回転部材と、を備える電子装置において、前記本体内には、少なくとも１つの電磁石モジュール及びセンサーが設けられ、前記回転部材は、ロック部材、前記本体にロックされた支持部材及び前記電磁石モジュールと対応する磁石モジュールを備え、前記キーボードには、前記センサーと対応する磁石が設置され、前記本体と前記キーボードとの間の夾角が予め設定された臨界角度より大きい場合、前記電磁石モジュールは通電せず、前記磁石モジュールが前記電磁石モジュールと離れており、前記本体と前記キーボードとの間の夾角が予め設定された臨界角度以下である場合、前記センサーは、磁石の磁場が予め設定された磁場強度値より大きいことを感知して、前記電磁石モジュールは通電し、且つ磁石モジュールをくっつけ、前記ロック部材は前記本体のロック状態を解除し、前記キーボードを前記本体から取り外すことができる。
【発明の効果】
【０００５】
本発明の電子装置は、その本体が所定の角度に回転すると、電磁石モジュールが通電し、磁石モジュールがロック部材を連動させて、本体のロックから離脱するため、容易に主体及びキーボードを着脱することができる。
【図面の簡単な説明】
【０００６】
【図１】本発明に係る電子装置の分解斜視図である。
【図２】図１に示した回転部材の別の視角から見た分解図である
【図３】図１に示した電子装置の回転部材の分解斜視図である。
【図４】図３に示した回転部材別の視角から見た分解斜視図である。
【図５】図１に示した電子装置の電磁石モジュールが通電していない際の、電磁モジュールと磁石モジュールとの位置を示す図である。
【図６】図５に示した電子装置の電磁石モジュールが通電した際の、電磁モジュールと磁石モジュールとの位置を示す図である。
【図７】図１に示した電子装置の組立図であり、電子装置の本体とキーボードとの間の夾角が第一角度であることを示す図である。
【図８】図７に示した電子装置の本体とキーボードとの間の夾角が第二角度であることを示す図である。
【発明を実施するための形態】
【０００７】
以下、図面に基づいて、本発明に係る電子装置について詳細に説明する。図１及び図２に示したように、電子装置１００は、マザーボード（図示せず）及びディスプレイ（図示せず）が設置された本体１０、回転部材２０、キーボード３０、プリント基板４０、２つの電磁石モジュール５０及び磁石６０を備える。キーボード３０は、回転部材２０を介して、本体１０に回転可能に接続されるため、容易にデータを本体１０に入力することができる。本実施形態において、本体１０は、タブレットパソコンとして独立して使用することができる。
【０００８】
本体１０の底部には、２つのロック溝１２が設けられている。２つの電磁石モジュール５０及びプリント基板４０は、本体１０内に設置され、２つの電磁石モジュール５０は、２つのロック溝１２との間に位置し、プリント基板４０は、２つの電磁石モジュール５０間に位置する。プリント基板４０には、１つのセンサー４２が設置されている。本実施形態において、センサー４２は、ホールセンサーである。
【０００９】
キーボード３０の一側には、回転部材２０に対応する収容溝３１が設けられており、収容溝３１の両端には、それぞれ１組の突起部３２が設けられている。各突起部３２の収容溝３１に隣接する一側には、１つの取り付け溝３２１がそれぞれ設けられている。磁石６０は、キーボード３０内に設置されてセンサー４２と対向する。
【００１０】
図３及び図４に示したように、回転部材２０は、第一カバー板２１、第二カバー板２５、支持部材２２、ロック部材２４、２つの軸受２６及び２つの取り付け部材２８を備える。第一カバー板２１及び第二カバー板２５を組み合わせて、回転部材２０のケース（図示せず）を形成し、支持部材２２、ロック部材２４、軸受２６及び取り付け部材２８は、このケースに収容される。支持部材２２は、第一側板２２３及び第一側板２２３の一側の端縁と垂直に接続された底板２２１を備える。第一側板２２３には、複数の取り付け孔２２３１が設けられている。
【００１１】
第一カバー板２１は、円弧状を呈し、第二カバー板２５には、第一スライド溝２５１及び２つの取り付け部材２８と対応する開溝２５３が設けられ、両側には２つの円弧状の欠口２５５が設けられている。
【００１２】
ロック部材２４は、第二側板２４１、２つのロック部２４３及び２つの取り付け片２４５を備える。ロック部２４３は、第二側板２４１の底部の一側縁と接続され、且つ第二側板２４１の両端に位置する。２つの取り付け片２４５は、第二側板２４１の底部の一側縁とそれぞれ垂直に接続され、且つ２つのロック部２４３との間に位置する。各ロック部２４３は、第二側板２４１の底部の一側縁と垂直に接続された接続片２４３１及び接続片２４３１の第二側板２４１と離れている一側縁と垂直に接続された係合片２４３３を備える。係合片２４３３は、Ｌ字状を呈し、第二側板２４１と平行に位置する。第二側板２４１には、複数の支持部材２２の取り付け孔２２３１と対向して位置する第二スライド溝２４１１が設けられている。各取り付け片２４５には、磁石モジュール２４７が設置されている。第二側板２４１の中央には、ハンドル２４９が設置されている。このハンドル２４９は、Ｔ字状を呈す。ロック部材２４の長さは、支持部材２２の長さより短い。
【００１３】
各軸受２６は、取り付け棒２６１、取り付け棒２６１に回転可能に設置された回転軸２６３及び回転軸２６３に設置された設置部２６５を備える。
【００１４】
各取り付け部材２８は、底部２８３及び底部２８３に垂直に接続された接続片２８１を備える。接続片２８１は、本体１０のロック溝１２内に設置される。
【００１５】
図５〜図８に示したように、電子装置１００を組み立てる際、各軸受２６の設置部２６５を支持部材２２の底板２２１に設置する。この際、２つの軸受２６は、支持部材２２の両端にそれぞれ設置される。次に、取り付け部材２８の底部２８３を支持部材２２の底部に設置し、２つの取り付け部材２８を２つの軸受２６間に位置させ、且つ２つの軸受２６にそれぞれ隣接させる。この際、各取り付け部材２８の接続片２８１は、支持部材２２の第一側板２２３と平行になる。次に、係合片２４３３を２つの取り付け部材２８の凹溝２８１１内に設置し、支持部材２２の底板２２１をロック部材２４の取り付け片２４５及び接続片２４３１上に設置する。次に、支持部材２２の第一側板２２３をロック部材２４の第二側板２４１の取り付け片２４５と離れている一側と接触させ、複数の第二スライド溝２４１１を複数の取り付け孔２２３１にそれぞれ連通させる。複数のネジ（図示せず）を、複数の第二スライド溝２４１１にそれぞれ貫通させ、且つ対応する取り付け孔２２３１内にロックさせる。これにより、ロック部材２４は、スライド可能に支持部材２２に設置される。従って、係合片２４３３は完全に２つの取り付け部材２８の接続片２８１と接触し、２つの取り付け部材２８の接続片２８１及び接続片２８１と接触する係合片２４３３は、第二カバー板２５の開溝２５３から突出し、ハンドル２４９は、第二カバー板２５の第一スライド溝２５１を貫通し、２つの軸受２６の取り付け棒２６１は、第二カバー板２５の欠口２５５内に設置される。
【００１６】
ロック部材２４の位置を調節する際、先ず、２つの軸受２６の取り付け棒２６１をキーボード３０の取り付け溝３２１内に設置して、回転部材２０を回転可能にキーボード３０に設置する。この際、２つの取り付け部材２８の接続片２８１及び接続片２８１と接触する係合片２４３３を２つの開溝２５３から突出させ、且つ本体１０のロック溝１２内に挿し込む。ロック部材２４が移動して、係合片２４３３が接続片２８１の一側に突出し、且つロック溝１２内にロックされる。この際、本体１０は、回転部材２０を介してキーボード３０に接続されるため、本体１０を回転させると回転軸２６３は回転し、本体１０とキーボード３０との間の角度を調節することができる。
【００１７】
図５及び図７に示したように、本実施形態において、本体１０内には、電磁石モジュール５０が設置されており、この電磁石モジュール５０は、図５及び図７に示すように、左から右に順に配列された第一電磁石５１、第二電磁石５２及び第三電磁石５３を備える。各電磁石は、磁石本体及び磁石本体の外周に巻かれたコイルを備える。具体的には、一本のコイル（第一コイル）は、第一電磁石５１の一部の外周を巻回しており、別のコイル（第二コイル）は、一端がこの第一電磁石５１の一部に巻回されたコイルの一端と接続され、第一電磁石５１の残りの部分の外周を巻回すると共に第二電磁石５２の一部の外周を巻回しており、更に別のコイル（第三コイル）は、第二電磁石５２の一部の外周に巻回されたコイル（第二コイル）の他端と接続されて第二電磁石５２の残りの部分の外周を巻回すると共に第三電磁石５３の一部の外周を巻回し、更に別のコイル（第四コイル）は、第三電磁石５３の一部の外周を巻回したコイル（第三コイル）の他端と接続されて第三電磁石５３の残りの部分の外周に巻回されている。つまり、第一電磁石５１、第二電磁石５２及び第三電磁石５３に巻かれているコイル（第一から第四コイル）は、両端部が接続された１本の導線からなっているような構造をもつ。第二電磁石５２のコイルの巻き方向は、第一電磁石５１のコイルの巻き方向と逆方向であり、第三電磁石５３のコイルの巻き方向は、第一電磁石５１のコイルの巻き方向と同方向である。これにより、電磁石モジュール５０が通電した際、第一電磁石５１及び第三電磁石５３のコイルの巻き方向の極は同じであり、第二電磁石５２の極は、第一電磁石５１及び第三電磁石５３のコイルの巻き方向の極と反対の極である。また、磁石モジュール２４７は、図５及び図６に示すように、左から右に順に配列された第一磁石２４７ａ、第二磁石２４７ｂ及び第三磁石２４７ｃを備える。第一磁石２４７ａの上側はＳ極、下側はＮ極である。第二磁石２４７ｂの上側はＮ極、下側はＳ極である。第三磁石２４７ｃの上側はＳ極、下側はＮ極である。
【００１８】
電磁石モジュール５０が通電せず、且つ本体１０が第一角度まで開いた際、第一電磁石５１は、第二電磁石２４７ｂの上方に位置し、且つ第二電磁石２４７ｂと相対し、第二電磁石５２は、第三電磁石２４７ｃの上方に位置し、且つ第三電磁石２４７ｃと相対し、第一磁石２４７ａは、第一電磁石５１の左下方に位置し、第三電磁石５３は、第三磁石２４７ｃの右上方に位置する。この際、ロック部材２０の係合片２４３３は、接続片２８１の一側から突出し、且つロック溝１２内にロックされ、本体１０は、回転部材２０を介して、キーボード３０に接続される。本実施形態において、本体１０が開かれて、本体１０とキーボード３０との間の夾角が第一角度まで開かれた際、該第一角度は、鈍角である。
【００１９】
図６及び図８に示したように、本体１０をキーボード３０に向けて回転させると、本体１０とキーボード３０との間の夾角は小さくなる。本体１０とキーボード３０との間の夾角が、予め設定された臨界角度以下である場合、本体１０内に設置されたセンサー４２は、キーボード３０内に設置された磁石６０の磁場が予め設定された磁場強度値（磁石６０に近接すればするほど、強い磁場を感じる）より大きいことを感知し、且つ本体１０に信号を送信する。本体１０は、電磁石モジュール５０に電力を提供する。これにより、第一電磁石５１の上側はＳ極、下側はＮ極になり、第二電磁石５２の上側はＮ極、下側はＳ極になり、第三電磁石５３の上側はＳ極、下側はＮ極になる。電磁石モジュール５０が生成した磁場は、第一磁石２４７ａ、第二磁石２４７ｂ及び第三磁石２４７ｃを右方向に移動させる。この際、第一電磁石５１は第一磁石２４７ａと相対して互いにくっつき、第二電磁石５２は、第二磁石２４７ｂと相対して互いにくっつき、第三電磁石５３は、第三磁石２４７ｃと相対して互いにくっつく。磁石の移動により、ロック部材２４は連動されて、ロックが解除され、係合片２４３３は、取り付け部材２８の接続片２８１と隣接する位置に移動し、ロック溝１２から離脱して、本体１０はキーボード３０から分離する。本実施形態において、予め設定された臨界角度は、鋭角である。
【００２０】
また、本発明の電子装置１００は、電磁石モジュール５０に電力を提供できない場合、ハンドル２４９を第一スライド溝２５１内で移動させ、また、このハンドル２４９は、ロック部材２４を連動させて、ロック部材２４が支持部材２２上で移動できるように連通させるため、本体１０及びキーボード３０を容易に着脱できる。
【符号の説明】
【００２１】
１００  電子装置
１０  本体
１２  ロック溝
２１  第一カバー部
２２  第二カバー部
２０  回転部材
２２  支持部材
２２１  底板
２２３  第一側板
２２３１  取り付け孔
２４  ロック部材
２４１  第二側板
２４１１  第二スライド溝
２４３  ロック部
２４３１  接続片
２４３３  係合片
２４５  取り付け片
２４７  磁石モジュール
２４７ａ  第一磁石
２４７ｂ  第二磁石
２４７ｃ  第三磁石
２４９  ハンドル
２５  第二カバー
２５１  第一スライド溝
２５３  開溝
２５５  欠口
２６  軸受
２６１  取り付け棒
２６３  回転軸
２６５  設置部
２８  取り付け部材
２８１  接続片
２８３  底部
３０  キーボード
３１  収容溝
３２  突起部  ３２１  取り付け溝
４１  プリント基板  ４２  センサー
５０  電磁石モジュール
５１  第一電磁石
５２  第二電磁石
５３  第三電磁石
６０  磁石
【図１】
2014235744.tif 000003
【図２】
2014235744.tif 000004
【図３】
2014235744.tif 000005
【図４】
2014235744.tif 000006
【図５】
2014235744.tif 000007
【図６】
2014235744.tif 000008
【図７】
2014235744.tif 000009
【図８】
2014235744.tif 000010